(57)【特許請求の範囲】
【請求項１】
イヤーキャンドル内部に少なくとも部分的に配置される空気透過性保持部材を有するイヤーキャンドルであって、前記保持部材は周壁と内部空間とを含み、
少なくとも２枚の薄板（４，５，６；18，19）が前記内部空間（３）に向かって、前記周壁（２）に配置され、前記少なくとも２枚の薄板は前記内部空間（３）に互いに反対向きに配置され、前記少なくとも２枚の薄板（４，５，６；18，19）は軸方向に重なり合うように構成されることを特徴とするイヤーキャンドル。
【請求項２】
少なくとも３枚の薄板（４，５，６）が前記保持部材（１）に配置され、少なくとも１枚の薄板（５）は他の薄板（４，６）と反対向きに配置され、該薄板（４，６）が軸方向に重なり合うように構成されることを特徴とする請求項１に記載のイヤーキャンドル。
【請求項３】
前記保持部材（１）は、前記周壁（２）に、少なくとも１個の開口部（７，８，20）を有することを特徴とする請求項１又は２に記載のイヤーキャンドル。
【請求項４】
前記少なくとも１個の開口部（７，８，20）は、少なくとも１枚の薄板（４，５，18）の領域に配置されることを特徴とする請求項３に記載のイヤーキャンドル。
【請求項５】
前記少なくとも２枚の薄板（４，５，６；18，19）は、前記保持部材（１）に３０°ないし６０°の角度で配置されることを特徴とする請求項１ないし４のいずれか１つに記載のイヤーキャンドル。
【請求項６】
前記少なくとも２枚の薄板（４，５，６；18，19）は、前記保持部材（１）に４５°の角度で配置されることを特徴とする請求項５に記載のイヤーキャンドル。
【請求項７】
前記少なくとも２枚の薄板（４，５，６；18，19）は、前記保持部材上に接触して、少なくとも半円形の形状で配置されることを特徴とする請求項１ないし６のいずれか１つに記載のイヤーキャンドル。
【請求項８】
前記保持部材（１）は、前記イヤーキャンドル（16）に向かって直径が大きくなる取り付けノズル（13）を有することを特徴とする請求項１ないし７のいずれか１つに記載のイヤーキャンドル。
【請求項９】
前記取り付けノズル（13）は、曲線的な外面（14）を含むことを特徴とする請求項８に記載のイヤーキャンドル。
【請求項１０】
前記取り付けノズル（13）は、前記イヤーキャンドル（16）の方向に突出部（15）を有し、該突出部は前記イヤーキャンドル（16）のスリーブ（21）の厚さと一致することを特徴とする請求項８又は９に記載のイヤーキャンドル。
【請求項１１】
前記取り付けノズル（13）は、軸方向にイヤーキャンドル（16）を超えて突出するように構成されることを特徴とする請求項８ないし１０のいずれか１つに記載のイヤーキャンドル。
【請求項１２】
前記保持部材（１）は、円筒の形状又は錐体部分で構成されることを特徴とする請求項１ないし１１のいずれか１つに記載のイヤーキャンドル。
【請求項１３】
前記保持部材（１）は、プラスチック、ガラス、セラミック、木又は金属から形成されることを特徴とする請求項１ないし１２のいずれか１つに記載のイヤーキャンドル。
【請求項１４】
前記保持部材（１）は、ポリプロピレン（ＰＰ）、ポリプロピレンカルボナート（ＰＰＣ）及び／又はポリエチレン（ＰＥ）から形成されることを特徴とする請求項１ないし１３のいずれか１つに記載のイヤーキャンドル。
【発明の詳細な説明】
【技術分野】
【０００１】
本発明は、イヤーキャンドル内部に配置された空気透過性保持部材を有するイヤーキャンドルに関する。
【背景技術】
【０００２】
一体化した保持部材を有するイヤーキャンドルは先行技術（特許文献１）の一部であり、前記保持部材は前記イヤーキャンドルの内の後方部、すなわち、前記イヤーキャンドルの耳側の端部に配置される。
【０００３】
この保持部材は先の尖った錐体状か、円錐台状か、ドーム状か、勾配屋根状か、ピラミッド状か、円柱状かの形状の断面表面部分（ｃｒｏｓｓ−ｓｅｃｔｉｏｎａｌ  ｓｕｒｆａｃｅ  ａｒｅａ）を有する空気透過性の保持部材であり、該保持部材の先端か、錐台か、湾曲かは前記イヤーキャンドルの前方部の方向に向かって配置される。
【０００４】
前記イヤーキャンドルは、実質的に、ろう状物質を含浸させた綿織物からなる。使用される前記ろう状物質は、例えば、蜜ろうなどの天然ろうの場合がある。また、ステアリンやパラフィンなどの合成ろうを使用することもできる。しかし、天然ろうが、好適である。前記綿織物は、巻き取り時に、少なくとも１層の前記織物が重なり合うか、又は複数の層の前記織物が順に重なるように巻かれて、筒状になる。
【０００５】
この筒の一端は外耳道に位置し、もう一端は直火を発生させるために点火される。
【０００６】
前記イヤーキャンドルの作用は、純粋に物理的である。ごくわずかな陰圧（煙突効果）と、炎の動きによって引き起こされるキャンドル内の空気の振動波は、鼓膜を優しくマッサージするような働きをする。この作用は、耳の部位、解放感を感じる前頭洞（ｆｒｏｎｔａｌ  ｓｉｎｕｓｅ）及び副鼻腔での心地良い暖かさという強い感情と均圧を引き起こす。
【０００７】
前記綿織物のろうの量は、燃焼の過程に適合させる。これは、好ましくは、できる限り燃え殻が残らないように前記イヤーキャンドルを燃焼させることを意味する。
【０００８】
一般的に、最後にパチンと音を立てる灰の噴煙が燃焼時に残る。
【０００９】
ガス混合物が、前記イヤーキャンドルの内部に発生する。前記ガス混合物は前記イヤーキャンドル内で冷却され、落下し、凝縮物となり、保持部材がなく、妨げられなければ、外耳道に入る。
【００１０】
また、前記イヤーキャンドルが下方へと燃えると、ろうが溶融する。ごく稀に、ろうの量が多すぎると、ろうがイヤーキャンドル内の下部に垂れ、保持部材がないと外耳道に入ることがある。
【００１１】
前記先行技術（特許文献１）に記載された保持部材を有するイヤーキャンドルは、例えば、防虫網又は微細格子ワイヤーからなる場合など、保持部材を構成する材料によって、前記先行技術（特許文献１）に記載された保持部材は、生成した前記凝縮物も、流出可能なろうも十分に保持できないという欠点がある。保持部材が濾紙又は濾布からなる場合は、容易に目詰まりを起こし、それ以上空気透過性を確保することができない。
【先行技術文献】
【特許文献】
【００１２】
【特許文献１】ドイツ特許公開第１０  ２００６  ００４  １３８  Ａ１号公報
【発明の概要】
【発明が解決しようとする課題】
【００１３】
本発明の根底にある技術的課題は、凝縮物及び流出可能なろうがさらに流動することを確実に防ぎ、さらに、凝縮物及びろうがより多量の場合でも、保持部材の空気透過性を確保することができる保持部材を有するイヤーキャンドルを提案することからなる。
【課題を解決するための手段】
【００１４】
この技術的課題は、請求項１による特徴を有する空気透過性保持部材を備えたイヤーキャンドルによって解決される。
【００１５】
イヤーキャンドル内部に少なくとも部分的に配置された空気透過性保持部材を有する本発明によるイヤーキャンドルは、前記保持部材が周壁と内部空間とを含むものであって、少なくとも２枚の薄板が前記内部空間に向かって前記周壁に配置され、前記少なくとも２枚の薄板は軸方向に重なり合うように構成されることによって特徴付けられる。
【００１６】
前記イヤーキャンドル内の保持部材に関する本発明による実施態様により、凝縮物及び流出可能なろうが前記保持部材からさらに流出することを極めて確実に防ぐことができる。本発明による前記保持部材は、より多量の凝縮物及びろうが加えられても、通気性を確保できるように、目詰まりを起こすことがない。
【００１７】
有利には、薄板の側面が周壁に面した状態で、前記薄板が前記周壁上に接触する（ｆｌｕｓｈ  ｏｎ）ように構成される。前記薄板は、少なくとも半円形で前記保持部材の周壁に付設される。また、前記薄板は、前記保持部材の中心線を超えて突出する。前記薄板は、前記保持部材の開口部の半分を超えた部分を覆う。
【００１８】
前記少なくとも２枚の薄板は、軸方向に重なり合うように構成される。前記少なくとも２枚の薄板は内部空間に互いに反対向きに配置されることにより、落下した凝縮物又はろうでさえも、前記薄板によって捕捉されるように、前記保持部材は軸方向に見て、視覚的に密（ｔｉｇｈｔ）である。
【００１９】
特に好ましい実施態様によれば、少なくとも３枚の薄板が前記保持部材に配置され、少なくとも１枚の薄板がその他の薄板と反対向きに配置され、軸方向に前記薄板が重なり合うように構成される。前記保持部材は３枚の薄板を有し、落下したろう又は凝縮物でさえも外耳道に入らず、薄板によって捕捉されるように、軸方向に見て視覚的に密である。
【００２０】
その他の有利な本発明の実施態様によれば、前記保持部材は、ジャケット表面に少なくとも１個の開口部を有する。よって、本発明による前記保持部材は、射出成形部材として形成される場合は、製造するのが容易である。
【００２１】
本発明のその他の有利な実施態様によれば、前記少なくとも１個の開口部が、少なくとも１枚の薄板の領域に配置される。前記開口部の領域の保持部材の周壁を別の方法で形成する材料が、前記薄板を形成するために用いられる。
【００２２】
有利には、前記少なくとも２枚の薄板は、前記保持部材に３０°ないし６０°の角度で配置される。特に好ましい実施態様によれば、前記少なくとも２枚の薄板は、前記保持部材に４５°の角度で配置される。よって、一方では、凝縮物又はろうが外耳道に入らないようにするために、前記保持部材が軸方向に見て視覚的に密である方法で、前記薄板が重ね合わされ、他方では、前記保持部材に十分な空気の通路が設けられることを確実にする。
【００２３】
本発明を発展させることにより、イヤーキャンドルに向かって直径が大きくなる、外耳道に取り付けるためのノズル（取り付けノズル）を含む保持部材を提供する。よって、前記保持部材は外耳道に容易に取り付けることができ、前記取り付けノズルで負傷することがないことを確実にする。前記取り付けノズルの外面が丸みを帯びた曲線的な形状であるという発展により、鋭角がないことで、皮膚を傷付けることがないことを確実にする。また、前記イヤーキャンドルの感触が著しく改善する。
【００２４】
有利に、前記取り付けノズルは、イヤーキャンドルの方向に、該イヤーキャンドルの材料の厚さと一致する突出部を有する。よって、イヤーキャンドルに部分的に配置され、イヤーキャンドルを超えて部分的に突出した前記取り付けノズルは、端部が前記イヤーキャンドルのスリーブと面一となる。既に説明したとおり、前記イヤーキャンドルは、例えば、蜜ろうを含浸させた綿織物からなる。イヤーキャンドルが内部に空間を有するように、この綿織物が巻き上げられて前記イヤーキャンドルを形成する。よって、前記イヤーキャンドルのスリーブは、蜜ろうを含浸させた一層又は多層の綿織物からなる。
【００２５】
既に説明したとおり、有利に、前記取り付けノズルは、軸方向に前記イヤーキャンドルを超えて突出する。よって、皮膚を傷付ける危険なしに、前記保持部材の前記取り付けノズルにより、前記イヤーキャンドルを外耳道に取り付けることができる。
【００２６】
前記保持部材は、好ましくは、円筒又は錐体の部分の形状で構成される。よって、簡便な方法で、前記保持部材を既製のイヤーキャンドル内に挿入することができる。
【００２７】
有利に、前記保持部材は、さらなる粘着手段なしに、クランプ手段で前記イヤーキャンドル内に保持される。
【００２８】
有利に、前記保持部材はプラスチック、ガラス、セラミック、木及び金属からなる。特に好ましい実施態様は、プラスチックから保持部材を形成することを提供する。好ましくは、ポリプロピレン（ＰＰ）が、前記プラスチックとして使用される。しかし、ポリプロピレンカルボナート（ＰＰＣ）又はポリエチレン（ＰＥ）を使用することもできる。また、混合物を提供することもできる。
【００２９】
本発明のさらなる特徴及び利点は、イヤーキャンドルの本発明による前記保持部材のいくつかの例示的な実施態様が、例示の目的のみで図示される関連した図面から明らかである。図面は、以下のとおりである。
【図面の簡単な説明】
【００３０】
【図１】３枚の薄板を有する保持部材の縦断面を示す図。
【図２】図１の矢印IIの方向の（21の部分なしの）図。
【図３】２枚の薄板を有する保持部材の縦断面を示す図。
【図４】２個の部材を有する保持部材を示す縦方向に切り取られた透視図。
【図５】保持部材を有するイヤーキャンドルの縦断面を示す図。
【発明を実施するための形態】
【００３１】
図１は、周壁２及び内部空間３を含む保持部材１を示す。４５°の角度αで配置された３枚の薄板４，５，６が、内部空間に配置される。
【００３２】
開口部７，８が、前記薄板４，５の領域の保持部材に設けられる。
【００３３】
引かれた中心線９を見てもわかるように、前記保持部材は軸方向に見て視覚的に密に構成されるように、前記薄板４，５，６はそれぞれ中心線９を超えて突出し、すなわち、前記薄板４，５，６は軸方向に見て重なり合う。よって、１００％の凝縮物及び流出可能なろうを前記保持部材によって捕捉することが確実となる。
【００３４】
流出可能なろうは、特に、くぼみ10，11，12に回収される。この結果、前記保持部材にある空気の通路は、回収した前記凝縮物及びろうによって影響を受けないことを意味する。
【００３５】
前記保持部材は、曲線的な外面14を含む取り付けノズル13を含む。さらに、前記取り付けノズル13は、前記保持部材１がイヤーキャンドル16のスリーブ21と面一になるような突出部15を含む。前記保持部材１が前記イヤーキャンドル16のスリーブ21内に部分的に配置され、前記取り付けノズル13が突出する。
【００３６】
図２は、前記薄板４及び５とともに、前記取り付けノズル13及び前記開口部７を有する前記保持部材１を示す。概観をより見やすくするために、前記スリーブ21は図２には示さない。
【００３７】
図３は、２枚の薄板18，19を含む保持部材17を示す。前記保持部材17が、前記イヤーキャンドル16内に配置される。流出した凝縮物及び、落下した凝縮物及びろうでさえも、（図示しない）耳の方向に向かって、前記保持部材を通過しないように、薄板18，19が重なり合う。
【００３８】
前記保持部材17は、前記薄板18，19の領域に配置された開口部20を含む。
【００３９】
図４は、前記薄板18，19及び前記開口部20を有する前記保持部材17を示す。
【００４０】
図１及び図２による実施態様と同一の形状及び機能を有する前記取り付けノズル13が、図３及び図４に示される。
【００４１】
図５は、蜜ろうを含浸させた綿織物からなる前記スリーブ21を有する前記イヤーキャンドル16を示す。前記保持部材１は、前記イヤーキャンドル16の耳側の部分22に配置される。前記保持部材１は、薄板４，５，６と共に、前記スリーブ21により密封される前記開口部７，８を含む。
【００４２】
さらに、前記保持部材１は、著しく改善された感触で、負傷することなく前記イヤーキャンドルを設置できるように、前記取り付けノズル13を含む。
【符号の説明】
【００４３】
参照数字
１  保持部材
２  周壁
３  内部空間
４  薄板
５  薄板
６  薄板
７  開口部
８  開口部
９  中心線
10  くぼみ
11  くぼみ
12  くぼみ
13  取り付けノズル
14  曲線的な外面
15  突出部
16  イヤーキャンドル
17  保持部材
18  薄板
19  薄板
20  開口部
21  イヤーキャンドルのスリーブ
22  耳側のイヤーキャンドル16の部分
【図１】
0005556963.tif 000002
【図２】
0005556963.tif 000003
【図３】
0005556963.tif 000004
【図４】
0005556963.tif 000005
【図５】
0005556963.tif 000006